(57)【要約】      （修正有）【課題】長時間の使用に際しても目が疲れにくく、目に優しい表示装置を提供する。【解決手段】液晶表示装置１は、液晶パネル１１と、液晶パネル１１に光を照射するバックライト装置１３と、を備え、バックライト装置１３は、光源として、波長のピークが６４０ｎｍ〜６８０ｎｍの範囲の光を出射する第１の発光部と、波長のピークが４９６ｎｍ〜５１５ｎｍの範囲の光を出射する第２の発光部と、を備えたことを特徴とする。【選択図】図１
0003184988.tif 000002
【実用新案登録請求の範囲】
【請求項１】
液晶パネルと、
前記液晶パネルに光を照射するバックライト装置と、を備え、
前記バックライト装置は、光源として、波長のピークが６４０ｎｍ〜６８０ｎｍの範囲の光を出射する第１の発光部と、波長のピークが４９６ｎｍ〜５１５ｎｍの範囲の光を出射する第２の発光部と、を備えたことを特徴とする液晶表示装置。
【請求項２】
前記光源はＬＥＤであり、
前記ＬＥＤは、前記第１の発光部及び前記第２の発光部をＬＥＤチップとして内蔵するマルチチップＬＥＤであることを特徴とする請求項１に記載の液晶表示装置。
【請求項３】
前記バックライト装置は、
前記ＬＥＤを複数ライン状に並べたライン状発光部と、
エッジ面と表面とを備え、前記エッジ面から入射された前記ライン状発光部からの光を前記表面に略均一に導光させる導光板と、
前記表面に積層されて、前記表面から出射された光を拡散させる拡散部と、を備えたことを特徴とする請求項２に記載の液晶表示装置。
【請求項４】
前記バックライト装置は、
前記ＬＥＤを複数面状に並べた面状発光部と、
前記面状発光部に積層されて、前記面状発光部から出射された光を拡散させる拡散部と、を備えたことを特徴とする請求項２に記載の液晶表示装置。
【請求項５】
前記拡散部は、拡散板と拡散シートを積層させたことを特徴とする請求項３又は４に記載の液晶表示装置。
【請求項６】
液晶パネルと、
前記液晶パネルに光を照射するバックライト装置と、を備え、
前記バックライト装置は、出射する光の青色光の割合が、全光量の１０％未満であることを特徴とする液晶表示装置。
【請求項７】
液晶パネルと、
前記液晶パネルに光を照射するバックライト装置と、を備え、
前記バックライト装置は、出射する光の赤色光の割合が、全光量の４０％〜８０％であることを特徴とする液晶表示装置。
【考案の詳細な説明】
【技術分野】
【０００１】
本考案は、液晶表示装置に関する。
【背景技術】
【０００２】
近年、液晶表示装置のバックライト装置の光源として、発光ダイオード（ＬＥＤ）が採用されている。ＬＥＤを用いたバックライト装置の照明方式の一つとして、例えばＬＥＤを導光板の一辺または多辺に配置したサイドライト方式や、ＬＥＤを液晶表示装置の直下に多数平面上に敷き詰めて構成した直下方式が知られている。
【０００３】
液晶パネルには、画素毎に赤、緑、青の有機色素を構成材料とするカラーフィルタが形成されており、バックライト装置の光はこのカラーフィルタを通して各画素を構成する液晶素子に入射される。
【０００４】
光源に使用されるＬＥＤとしては、青色ＬＥＤに黄色蛍光体の補色を組み合わせた白色ＬＥＤが多く用いられている。また、青色ＬＥＤと緑色蛍光体・赤色蛍光体を組み合わせた白色ＬＥＤや、近紫外ＬＥＤと青色・緑色・赤色の三色の蛍光体を用いた方式が提案されている。このように、白色ＬＥＤでは青色ＬＥＤなどのブルーライトを用いる場合が多かった。ここでブルーライトとは、波長が３８０〜４９５ｎｍの光のことをいう。
【０００５】
しかし、ブルーライトは、波長が短く、強いエネルギーを持つため、目の角膜や水晶体で吸収されずに網膜まで到達する可能性があり、目の網膜への影響等が懸念されている。加齢黄斑変性などの疾患との関わりが懸念されている（例えば、ブルーライト研究会ホームページhttp://blue-light.biz/）。
【０００６】
液晶表示装置において特定の波長の光をカットする方法としては、例えば、ＬＥＤ等から発せられた光を、特定の波長カットフィルタを通過させる技術があった（例えば、特許文献１を参照）。
【先行技術文献】
【特許文献】
【０００７】
【特許文献１】特開２００９−２６５６３４号公報
【考案の概要】
【考案が解決しようとする課題】
【０００８】
しかし、波長カットフィルタを使用する従来の液晶表示装置は、フィルタを使用しても所定の透過率にてブルーライトが透過してしまう問題があった。
【０００９】
一方、ビジネス用途においては、表示装置にフルカラーの高演色性を必要としない場合があった。
【００１０】
本考案は、ビジネス等の用途において、長時間の使用に際しても目が疲れにくく、目に優しい表示装置を提供することを目的とする。
【課題を解決するための手段】
【００１１】
上記課題に鑑み、本考案の液晶表示装置は、液晶パネルと、前記液晶パネルに光を照射するバックライト装置と、を備え、前記バックライト装置は、光源として、波長のピークが６４０ｎｍ〜６８０ｎｍの範囲の光を出射する第１の発光部と、波長のピークが４９６ｎｍ〜５１５ｎｍの範囲の光を出射する第２の発光部と、を備えたことを特徴とする。
【考案の効果】
【００１２】
本考案の実施形態によれば、長時間の使用に際しても目が疲れにくく、目に優しい表示装置を提供することができる。
【図面の簡単な説明】
【００１３】
【図１】第１の実施形態における表示装置の構成図
【図２】第２の実施形態における表示装置の構成図
【考案を実施するための形態】
【００１４】
以下、図面に基づいて本考案の実施の形態を説明する。
［第１の実施形態］
図１は、本考案の一例として、第１の実施形態における表示装置の構成の一例を示す構成図である。
【００１５】
図１において、液晶表示装置１は、液晶パネル１１、拡散部１２、及びバックライト装置１３を備えている。
【００１６】
液晶パネル１１は、図示しない液晶パネル駆動部により、パネルの座標位置に応じて光の透過率を制御して、後述するバックライト装置１３によって照射された光を透過することにより、液晶パネル１１の表面上に文字や図形を表示する。なお、液晶パネル１１には、図示しないカラーフィルタを備えて、透過光の色調整を行ってもよい。
【００１７】
拡散部１２は、拡散シート１２１、および拡散板１２２を備えている。拡散シート１２１は、例えば白色ポリエステルシートや白色ポリカーボネイトシートである。
【００１８】
拡散シート１２１は、透過光を比較的微少な範囲で散乱・拡散させる目的で使用され、１枚で又は複数枚のシートを積層させて利用する。拡散シート１２１は、後述する拡散板１２２のドットを目立たなくさせる効果も期待される。
【００１９】
拡散板１２２は、例えばポリカーボネイトやアクリルを素材とする板状の光拡散部材である。拡散板１２２は、例えば、透明な素材の表面に多数の微小な凹凸（ドット）を備え、この凹凸がレンズの役割を果たして透過光を拡散させる。これにより、バックライト装置１３から入射されるＬＥＤの配置位置による平面的な輝度のムラを均一にする。拡散板１２２も１枚での使用以外に、複数枚での使用が可能である。
【００２０】
バックライト装置１３は、ＬＥＤ実装基板１３１、リフレクタ１３２、及び導光板１３３を備えている。
【００２１】
ＬＥＤ実装基板１３１は、例えば複数のＬＥＤを所定のピッチ（間隔）でライン状に並べたライン状発光部を備える。ＬＥＤは、一列に配置されてもよく、また複数の列に配置されてもよい。複数の列でＬＥＤを配置する場合は、一の列のＬＥＤの位置と、他の列のＬＥＤの位置が互い違いになるように、ＬＥＤの位置がお互いハーフピッチずれた千鳥配置にしても良い。ＬＥＤ実装基板１３１の基板部は、例えばガラスエポキシ基板が使用できる。
【００２２】
ＬＥＤ実装基板１３１に配置されたそれぞれのＬＥＤは、図示しないＬＥＤドライバによって駆動されて所定の輝度にて光を出射する。
【００２３】
ＬＥＤ実装基板１３１に実装されるＬＥＤは、波長のピークが６４０ｎｍ〜６８０ｎｍの範囲の光を出射する第１の発光部と、波長のピークが４９６ｎｍ〜５１５ｎｍの範囲の光を出射する第２の発光部と、を備える。第１の発光部は、赤色可視光の波長領域である。また、第２の発光部は、青緑可視光の波長領域である。第２の発光部は、波長のピークが４９６ｎｍ〜５０５ｎｍの範囲の光を出射することがより望ましい。本実施形態においては光源にブルーライトの波長領域を殆ど含まないため、長時間使用しても目が疲れにくい、目に優しい液晶表示装置を提供することができる。なお、ブルーライトの波長領域を含まないと演色性が低くなるため、本実施形態においては、例えば写真等の色情報が重要なコンテンツを表示する用途には適さない。しかし、例えば、文書の作成／表示など、高い演色性が要求されず、液晶表示装置を長時間凝視することの多い用途において本実施形態が適したものとなる。
【００２４】
本実施形態における第１の発光部と第２の発光部は、それぞれが第１のＬＥＤチップと第２のＬＥＤチップとして、第１と第２の二つのＬＥＤチップが１つの光源に内蔵されて封入されている、図示しないマルチチップＬＥＤを形成している。従って、１つの光源において擬似白色を出射することが可能となる。また、使用するＬＥＤの発光波長域に対して色調整のために、例えば補色域の蛍光体を併せて光源に使用してもよい。
【００２５】
リフレクタ１３２は、ＬＥＤ実装基板１３１のＬＥＤチップから出射された光を導光板１３３のエッジ面に集光させる反射板である。
【００２６】
導光板１３３は、エッジ部（図示、ＬＥＤ実装基板１３１対向面）から入射されたＬＥＤ実装基板１３１の光を、積層された拡散部１２及び液晶パネル１１の面方向に対して均一に拡散させて、導光板１３３を面光源とする機能を備える。入射光の拡散方法としては、例えばアクリルやポリカーボネイトなどの透明板の表面に反射ドットを設けて、透明板内部を進行した光を乱反射させたり、透明板表面に機械加工等により溝加工を施して光を反射させたりする方法などが可能である。また、導光板の厚みをエッジ部分からエッジ部分の反対側に対して徐々に細くするくさび形状とすることにより、エッジから入射された光の出射効率を向上させることができる。
【００２７】
また、光源をエッジ側に配置することができるので、液晶表示装置１の薄型化が可能になる。従って、第１の実施形態は、例えばノートパソコンなどの用途に適用させることができる。
【００２８】
なお、本実施形態においては、導光板１３３の一のエッジにＬＥＤ実装基板を配置している例を開示しているが、例えば２方向以上のエッジに光源を配置して入射させてもよい。
［第２の実施形態］
図２は、本考案の他の一例として、第２の実施形態における表示装置の構成の一例を示す構成図である。
【００２９】
図２において、液晶表示装置１は、液晶パネル１１、拡散部１２、及びバックライト装置１４を備えている。ここで、液晶パネル１１及び拡散部１２は、第１の実施形態で説明したものと同様であるため、説明を省略する。
【００３０】
図２において、バックライト装置１４は、実装基板１４１、及びＬＥＤ光源１４２を備える。
【００３１】
実装基板１４１は、例えばガラスエポキシ基板であり、液晶パネル１１及び拡散部１２と平行して積層される。
【００３２】
ＬＥＤ光源１４２は、実装基板１４１に複数個が面状に配置されて面状発光部を形成している。本実施形態における面状発光部は、ＬＥＤ光源１４２は、実装基板１４１に千鳥格子状に配置されており、面光源として面内での輝度のムラが少なくなるように配置の均一化を図っている。ＬＥＤ光源１４２の配置方法については、例えば縦横を整列させた配置であってもよい。また、ＬＥＤ光源１４２の配置密度を上げれば面内の輝度のムラを低減させることができる。
【００３３】
それぞれのＬＥＤ光源１４２は、実装基板１４１に設けられた配線回路に接続されて、図示しないＬＥＤドライバに接続されて駆動される。
【００３４】
第２の実施形態における拡散部１２は、第１の実施形態における拡散部１２と同じ構成を採用している。但し、ＬＥＤ光源１４２の配列にともなう入射光のムラを生じる場合は、例えばバックライト装置１４と拡散部１２との距離を広くすることにより、ムラの低減を図ることができる。また、拡散板による透過光の拡散が大きくなるように表面のレンズ形状を第１の実施形態とは変更することもできる。
【００３５】
第２の実施形態においては、ＬＥＤ光源１４２を面状に多く配置することができるので、面光源としての輝度を高くすることができる。従って、第２の実施形態は、例えば液晶ディスプレイなどの用途に適用させることができる。
【００３６】
以上、本考案を実施するための形態について詳述したが、本考案は斯かる特定の実施形態に限定されるものではなく、実用新案請求の範囲に記載された本考案の要旨の範囲内において、種々の変形・変更が可能である。
【符号の説明】
【００３７】
１  液晶表示装置
１１  液晶パネル
１２  拡散部
１２１  拡散シート
１２２  拡散板
１３  バックライト装置
１３１  ＬＥＤ実装基板
１３２  リフレクタ
１３３  導光板
１４  バックライト装置
１４１  実装基板
１４２  ＬＥＤ光源
【図１】
0003184988.tif 000003
【図２】
0003184988.tif 000004